(57)【要約】【課題】、被写体を撮影するのに適した雰囲気を演出しつつ、背景の画像合成処理を容易に行うことを可能とする。【解決手段】本発明に係る撮影画像処理システム１００によれば、撮影制御部２１の制御により、背景照明器２２２から無地の背景部材２５に背景画像が投影、表示され、ＤＳＣ２３、被写体照明器２２１ａ、２２１ｂの撮影条件がセットされ、レリーズスイッチが押下されると、背景照明器２２２が消灯され、続いてＤＳＣ２３においてシャッターが切られて被写体αが撮影される。撮影により得られた撮影画像情報は、前処理部５１により信号値変換がなされた後、被写体画像抽出部５２により被写体画像領域の輪郭が検出されることにより被写体画像情報が抽出され、画像合成部５３において、抽出された被写体画像情報と予め用意された背景画像情報とが合成される。【選択図】図１
2005217516.tif 000002
【特許請求の範囲】
【請求項１】
被写体の撮影前に、前記被写体の背後に背景画像を表示させ、前記被写体の撮影時に、前記背景画像の表示を停止させることを特徴とするポートレート作成方法。
【請求項２】
前記撮影により得られた撮影画像情報から被写体画像領域の輪郭を検出して被写体画像情報を抽出し、前記抽出された被写体画像情報に背景画像情報を合成することを特徴とする請求項１に記載のポートレート作成方法。
【請求項３】
被写体の背後に背景画像を表示させて第１の撮影を行い、前記背景画像の輝度を変化させて第２の撮影を行い、前記第１の撮影で得られた第１の撮影画像情報と前記第２の撮影で得られた第２の撮影画像情報を用いて被写体画像情報を抽出し、前記抽出された被写体画像情報に背景画像情報を合成することを特徴とするポートレート作成方法。
【請求項４】
前記抽出された被写体画像情報と合成する背景画像情報は、前記表示された背景画像と近似したものであることを特徴とする請求項２又は３に記載のポートレート作成方法。
【請求項５】
前記抽出された被写体画像情報と合成する背景画像情報は、前記表示された背景画像と関連するものであることを特徴とする請求項２又は３に記載のポートレート作成方法。
【請求項６】
被写体の背後に背景画像を表示する背景表示手段と、
前記被写体を撮影する撮影手段と、
前記被写体の撮影前に、前記背景表示手段に背景画像を表示させ、前記被写体の撮影時に、前記背景表示手段に前記背景画像の表示を停止させる撮影制御手段と、
を備えたことを特徴とするポートレート作成システム。
【請求項７】
前記撮影により得られた撮影画像情報から被写体画像領域の輪郭を検出して被写体画像情報を抽出する被写体画像抽出手段と、
前記抽出された被写体画像情報に背景画像情報を合成する画像合成手段と、
を備えたことを特徴とする請求項６に記載のポートレート作成システム。
【請求項８】
被写体の背後に背景画像を表示する背景表示手段と、
前記被写体を撮影する撮影手段と、
前記背景表示手段に背景画像を表示させて第１の撮影を行い、前記背景画像表示手段に前記背景画像の輝度を変化させて第２の撮影を行うよう制御する撮影制御手段と、
前記第１の撮影で得られた第１の撮影画像情報と前記第２の撮影で得られた第２の撮影画像情報を用いて被写体画像情報を抽出する被写体画像抽出手段と、
前記抽出された被写体画像情報に背景画像情報を合成する画像合成手段と、
を備えたことを特徴とするポートレート作成システム。
【請求項９】
前記抽出された被写体画像情報と合成する背景画像情報は、前記表示された背景画像と近似したものであることを特徴とする請求項７又は８に記載のポートレート作成システム。
【請求項１０】
前記抽出された被写体画像情報と合成する背景画像情報は、前記表示された背景画像と関連するものであることを特徴とする請求項７又は８に記載のポートレート作成システム。
【請求項１１】
コンピュータに、
被写体の撮影前に、前記被写体の背後に背景画像を表示させ、前記被写体の撮影時に、前記背景画像の表示を停止させる機能を実現させるためのプログラム。
【請求項１２】
前記コンピュータに、更に、
前記撮影により得られた撮影画像情報から被写体画像の輪郭を検出して被写体画像情報を抽出する機能と、
前記抽出された被写体画像情報に背景画像情報を合成する機能と、
を実現させる請求項１１に記載のプログラム。
【請求項１３】
コンピュータに、
被写体の背後に背景画像を表示させて第１の撮影を行い、前記背景画像の輝度を変化させて第２の撮影を行う機能と、
前記第１の撮影で得られた第１の撮影画像情報と前記第２の撮影で得られた第２の撮影画像情報を用いて被写体画像情報を抽出する機能と、
前記抽出された被写体画像情報に背景画像情報を合成する機能と、
を実現させるためのプログラム。
【請求項１４】
前記抽出された被写体画像情報と合成する背景画像情報は、前記表示された背景画像と近似したものであることを特徴とする請求項１２又は１３に記載のプログラム。
【請求項１５】
前記抽出された被写体画像情報と合成する背景画像情報は、前記表示された背景画像と関連するものであることを特徴とする請求項１２又は１３に記載のプログラム。
【発明の詳細な説明】
【技術分野】
【０００１】
本発明は、被写体を撮影し、得られた撮影画像情報に画像処理を施してポートレートを作成するポートレート作成方法、ポートレート作成システム及びプログラムに関する。
【背景技術】
【０００２】
撮影スタジオで人物ポートレートを撮影する際の背景は、主要な被写体ではないものの、被写体である人物を引き立てる上で非常に重要な役割を果たす構成要素である。旧来の撮影スタジオでは、この背景を巻き取り収納可能なロール状の壁紙を複数用意し、用途に応じて交換していた。
【０００３】
前述の壁紙は写真の格調を決める上で重要な要素であるため素材、質感に注意が払われるなどで非常に高価なものである。近年、ポートレート写真の撮影スタイルが多様化し、多種多様な背景が必要となっており、旧来のロール状の壁紙では対応できない場合が増えてきている。
【０００４】
このため、壁紙は無地の１種類のみとし、これに、スライド映写機等で背景画像を無地の壁紙に映写し、これを背景に人物を撮影する場合がある。これは簡易的なパターン、例えば、年賀状に用いる家族写真を撮影する際に、バックに干支のパターンを映写する等には効果的である。しかしながら、より重厚な感じを与えたり、実在感のある背景を表示することは不可能である。
【０００５】
そこで、特許文献１には、被写体画像を背景画像から切り抜き、別の背景画像と合成する際に用いる、クロマキーを用いる手法が開示されている。このような手法を用いることによって、自由な背景を用いることが出来るようになった。
【特許文献１】特開平１１−２６１８８８号公報
【発明の開示】
【発明が解決しようとする課題】
【０００６】
写真なれしていない一般の顧客の好ましい表情を引き出し、ポートレート写真を撮影するためには、写真を撮影する環境づくりが非常に大切である。しかしながら、特許文献１の画像合成を用いた手法の場合、実際の撮影時は、背景は合成がしやすいよう、無地のバック、好ましくは、被写体の色と重なる確立が出来るだけ低い色、多くの場合は青、を用いて撮影を行う。撮影される対象が職業モデルである場合はこの状態でも特に問題は無いが、市中に一般に存在する撮影スタジオの場合、被写体は一般の顧客であり、上述のような青の無地バックの前に立ち、これから合成されるであろう、背景の雰囲気に合わせてポージング、或いは表情を作ることは不可能に近く、好ましい写真が撮影できないという問題があり、一般の撮影スタジオで特許文献１のような合成手法を用いることは非常に困難であった。
【０００７】
本発明はこのような状況に鑑みてなされたものであり、被写体を撮影するのに適した雰囲気を演出しつつ、背景の画像合成処理を容易に行うことが可能なポートレート作成方法、ポートレート作成システム及びプログラムを提供することを目的とする。
【課題を解決するための手段】
【０００８】
上記課題を解決するため、請求項１に記載の発明は、
被写体の撮影前に、前記被写体の背後に背景画像を表示させ、前記被写体の撮影時に、前記背景画像の表示を停止させることを特徴としている。
【０００９】
請求項２に記載の発明は、請求項１に記載の発明において、
前記撮影により得られた撮影画像情報から被写体画像領域の輪郭を検出して被写体画像情報を抽出し、前記抽出された被写体画像情報に背景画像情報を合成することを特徴としている。
【００１０】
請求項３に記載の発明は、
被写体の背後に背景画像を表示させて第１の撮影を行い、前記背景画像の輝度を変化させて第２の撮影を行い、前記第１の撮影で得られた第１の撮影画像情報と前記第２の撮影で得られた第２の撮影画像情報を用いて被写体画像情報を抽出し、前記抽出された被写体画像情報に背景画像情報を合成することを特徴としている。
【００１１】
請求項４に記載の発明は、請求項２又は３に記載の発明において、
前記抽出された被写体画像情報と合成する背景画像情報は、前記表示された背景画像と近似したものであることを特徴としている。
【００１２】
請求項５に記載の発明は、請求項２又は３に記載の発明において、
前記抽出された被写体画像情報と合成する背景画像情報は、前記表示された背景画像と関連するものであることを特徴としている。
【００１３】
請求項６に記載の発明は、
被写体の背後に背景画像を表示する背景表示手段と、
前記被写体を撮影する撮影手段と、
前記被写体の撮影前に、前記背景表示手段に背景画像を表示させ、前記被写体の撮影時に、前記背景表示手段に前記背景画像の表示を停止させる撮影制御手段と、
を備えたことを特徴としている。
【００１４】
請求項７に記載の発明は、請求項６に記載の発明において、
前記撮影により得られた撮影画像情報から被写体画像領域の輪郭を検出して被写体画像情報を抽出する被写体画像抽出手段と、
前記抽出された被写体画像情報に背景画像情報を合成する画像合成手段と、
を備えたことを特徴としている。
【００１５】
請求項８に記載の発明は、
被写体の背後に背景画像を表示する背景表示手段と、
前記被写体を撮影する撮影手段と、
前記背景表示手段に背景画像を表示させて第１の撮影を行い、前記背景画像表示手段に前記背景画像の輝度を変化させて第２の撮影を行うよう制御する撮影制御手段と、
前記第１の撮影で得られた第１の撮影画像情報と前記第２の撮影で得られた第２の撮影画像情報を用いて被写体画像情報を抽出する被写体画像抽出手段と、
前記抽出された被写体画像情報に背景画像情報を合成する画像合成手段と、
を備えたことを特徴としている。
【００１６】
請求項９に記載の発明は、請求項７又は８に記載の発明において、
前記抽出された被写体画像情報と合成する背景画像情報は、前記表示された背景画像と近似したものであることを特徴としている。
【００１７】
請求項１０に記載の発明は、請求項７又は８に記載の発明において、
前記抽出された被写体画像情報と合成する背景画像情報は、前記表示された背景画像と関連するものであることを特徴としている。
【００１８】
請求項１１に記載の発明は、
コンピュータに、
被写体の撮影前に、前記被写体の背後に背景画像を表示させ、前記被写体の撮影時に、前記背景画像の表示を停止させる機能を実現させるためのプログラムであることを特徴としている。
【００１９】
請求項１２に記載の発明は、請求項１１に記載の発明において、
前記コンピュータに、更に、
前記撮影により得られた撮影画像情報から被写体画像の輪郭を検出して被写体画像情報を抽出する機能と、
前記抽出された被写体画像情報に背景画像情報を合成する機能と、
を実現させることを特徴としている。
【００２０】
請求項１３に記載の発明は、
コンピュータに、
被写体の背後に背景画像を表示させて第１の撮影を行い、前記背景画像の輝度を変化させて第２の撮影を行う機能と、
前記第１の撮影で得られた第１の撮影画像情報と前記第２の撮影で得られた第２の撮影画像情報を用いて被写体画像情報を抽出する機能と、
前記抽出された被写体画像情報に背景画像情報を合成する機能と、
を実現させるためのプログラムであることを特徴としている。
【００２１】
請求項１４に記載の発明は、請求項１２又は１３に記載の発明において、
前記抽出された被写体画像情報と合成する背景画像情報は、前記表示された背景画像と近似したものであることを特徴としている。
【００２２】
請求項１５に記載の発明は、請求項１２又は１３に記載の発明において、
前記抽出された被写体画像情報と合成する背景画像情報は、前記表示された背景画像と関連するものであることを特徴としている。
【発明の効果】
【００２３】
請求項１、６、１１に記載の発明によれば、被写体の撮影前に、被写体の背後に背景画像を表示させ、被写体の撮影時に、背景画像の表示を停止させる。従って、ポートレートの撮影において、撮影前に背景画像を表示させて被写体を撮影するのに適した雰囲気を演出しつつ、撮影時には背景画像の表示を停止させ、無地バックの背景で撮影するので、被写体から好ましい表情を引き出すことが可能になるとともに、背景が無地の、画像合成処理がしやすい撮影画像情報を得ることが可能となる。
【００２４】
請求項２、７、１２に記載の発明によれば、背景画像の表示を停止して行った撮影により得られた撮影画像情報から被写体画像領域の輪郭を検出して被写体画像情報を抽出し、抽出された被写体画像情報に背景画像情報を合成する。従って、撮影画像情報から容易に被写体画像情報を抽出し、背景画像情報を合成することが可能となる。
【００２５】
請求項３、８、１３に記載の発明によれば、被写体の背後に背景画像を表示させて第１の撮影を行い、背景画像の輝度を変化させて第２の撮影を行い、第１の撮影で得られた第１の撮影画像情報と第２の撮影で得られた第２の撮影画像情報を用いて被写体画像情報を抽出し、抽出された被写体画像情報に背景画像情報を合成する。従って、ポートレートの撮影において、撮影するのに適した雰囲気を演出し、被写体から好ましい表情を引き出すことが可能になるとともに、被写体の色に関係なく、撮影画像情報から被写体画像情報を容易に、正確に抽出し、被写体画像情報と背景画像情報を合成することが可能となる。
【００２６】
請求項４、９、１４に記載の発明によれば、抽出された被写体画像情報と合成する背景画像情報は、表示された背景画像と近似したものであるので、ポートレートの撮影において、ポートレートの背景に合成する背景画像に応じた雰囲気を演出することが可能となる。
【００２７】
請求項５、１０、１５に記載の発明によれば、抽出された被写体画像情報と合成する背景画像情報は、表示された背景画像と関連するものであるので、ポートレートの撮影において、ポートレートの背景に合成する背景画像に応じた雰囲気を演出することが可能となる。
【発明を実施するための最良の形態】
【００２８】
〔第１の実施の形態〕
以下、図を参照して本発明の第１の実施の形態を詳細に説明する。
まず、構成を説明する。
図１に、本発明に係るポートレート作成システムとしての撮影画像処理システム１００の全体構成例を示す。図１に示すように、撮影画像処理システム１００は、ＦＢ（flat bed)スキャナ１１、フィルムスキャナ１２、メモリドライバ１３、画像入力部１４、撮影部２０、画像表示部３０、指示入力部４０、画像処理部５０、画像出力部６０等を備えて構成されている。
【００２９】
ＦＢスキャナ１１は、写真プリント７１等の反射原稿上の画像を読み取ってデジタル画像情報を取得する。
フィルムスキャナ１２は、アナログカメラにより撮像された現像済みの写真フィルム７２等の透過原稿に記録された駒画像を読み取ってデジタル画像情報を取得する。
メモリドライバ１３は、ＭＯ（Magnet-Optic）、ＣＤ−Ｒ（CD Recordable）、スマートメディアカードを始めとする各種記録メディア７３に記録されたデジタル画像情報を読み出して取得する。
【００３０】
画像入力部１４は、ＦＢスキャナ１１、フィルムスキャナ１２、メモリドライバ１３及び画像処理部５０に接続され、ＦＢスキャナ１１、フィルムスキャナ１２、メモリドライバ１３により取得されたデジタル画像情報を画像処理部５０に入力する。また、画像入力部１４は、撮影部２０の撮影制御部２１に接続されており、撮影部２０により撮影された画像情報を画像処理部５０に入力する。更に、画像入力部１４は、画像処理部５０を介して指示入力部４０から入力された撮影に関する指示情報を撮影部２０の撮影制御部２１に出力する。
【００３１】
撮影部２０は、撮影手段であり、図１に示すように、撮影制御部２１、照明部２２、ＤＳＣ（デジタルスチルカメラ）２３、通信回線２４、背景部材２５、撮影操作部２６等により構成されている。図２は、本発明に係る撮影画像処理システム１００を適用した撮影スタジオにおける撮影セットの外観を示す図、図３は、撮影部２０の構成をより詳細に示すブロック図である。撮影スタジオにおいては、図２に示すように、被写体αの前方に、被写体αを撮影するＤＳＣ２３、被写体αを照明するための被写体照明器２２１ａ、２２１ｂが配置される。被写体αの背後には、無地の背景部材２５が配置され、ここにスライド投影機等により構成される背景照明器２２２により、背景を演出する背景画像が表示される。ＤＳＣ２３、被写体照明器２２１ａ、２２１ｂ、背景照明器２２２は、図３に示すように、それぞれ撮影制御部２１により接続されており、撮影制御部２１によるこれらの機器の制御により、被写体αの撮影が実施される。
【００３２】
以下、撮影部２０の各部について詳細に説明する。
撮影制御部２１は、ＣＰＵ（Central Processing Unit）、ＲＯＭ（Read Only Memory）、ＲＡＭ（Random Access Memory）等を備えて構成され、ＣＰＵは、ＲＯＭに記憶されているプログラムとの協働によるソフトウエア処理により、画像処理部５０及び画像入力部１４を介して入力された、指示入力部４０から入力される指示情報（例えば、背景画像の指示情報等）、撮影操作部２６のレリーズスイッチの押下等に基づいて、照明部２２の各機器のパワーＯＮ／ＯＦＦや光量を制御して被写体αの照明、背景画像の表示を行うとともに、通信回線２４を介してＤＳＣ２３を制御して被写体αを撮影し、得られたデジタル画像情報（撮影画像情報）を画像入力部１４に出力する。
【００３３】
照明部２２は、図２、３に示すように、被写体照明器２２１ａ、２２１ｂ、背景照明器２２２を備えて構成されている。照明部２２は、撮影制御部２１に接続され、被写体照明器２２１ａ、２２１ｂは、撮影制御部２１の制御に基づいて被写体αを照明し、背景照明器２２２は、撮影制御部２１の制御に基づいて背景部材２５に光を照射して背景画像を投影、表示する。背景部材２５及び背景照明器２２２は、背景表示手段として機能する。
【００３４】
ＤＳＣ２３は、フォーカシングレンズ、ズームレンズ、シャッター及び絞り等を含む撮像用の光学レンズユニット、ＣＣＤ（Charge Coupled Device ）等の撮像素子を含む光電変換ユニット等により構成されている。ＤＳＣ２３は、通信回線２４を介して撮影制御部２１に接続され、撮影制御部２１からの制御に基づいて被写体αを撮像し、その撮像画像を光電変換してデジタル画像情報として通信回線２４を介して撮影制御部２１に出力する。なお、通信回線２４は、無線であっても有線であってもよい。
【００３５】
背景部材２５は、無地のスクリーン、パネル等により構成され、背景照明器２２２から投影された背景画像を表示する。
撮影操作部２６は、レリーズスイッチ等であり、押下信号を撮影制御部２１に出力する。
【００３６】
画像表示部３０は、画像処理部５０に接続されており、ＣＲＴ（Cathode Ray Tube）やＬＣＤ（Liquid Crystal Display）等によってなる表示画面を備え、画像処理部５０から入力される表示信号の指示に従って画像情報を画面上に表示する。
【００３７】
指示入力部４０は、画像処理部５０に接続されており、文字／英数字入力キー、カーソルキー、及び各種機能キー等を備えたキーボード、ポインティングデバイスであるマウス等を備えて構成され、キーボードで押下操作されたキーの押下信号とマウスによる操作信号とを入力信号として画像処理部５０に出力する。
【００３８】
画像処理部５０は、ＣＰＵ、ＲＯＭ、ＲＡＭ等により構成され、ＣＰＵは、ＲＯＭに記憶されているプログラムとの協働によるソフトウエア処理により、画像入力部１４から入力されたデジタル画像情報に各種画像処理を施す。具体的には、画像処理部５０のＣＰＵは、ＲＯＭに記憶されているプログラムとの協働によるソフトウエア処理により、図１に示す前処理部５１、被写体画像抽出部５２、画像合成部５３としての機能を実現し、画像入力部１４から入力された撮影画像情報に対して、被写体画像領域を抽出し、予め記憶された背景画像と合成する。
【００３９】
前処理部５１は、画像入力部１４から入力される撮影画像情報を、以降の信号処理がしやすい画像情報に変換する。例えば、入力画像情報が透過光量を指し示す信号値からなる場合は、光学濃度を指し示す信号値に変換する処理を施す。
被写体画像抽出部５２は、前処理の施された撮影画像情報から被写体画像領域の輪郭を検出し、被写体画像情報を抽出する。
画像合成部５３は、抽出された被写体画像情報と、予めＲＯＭ等の記憶手段に設定されている背景画像情報との合成処理を行い、出力画像情報を作成する。
【００４０】
画像出力部６０は、図１に示すように、画像出力制御部６１、画像プリント部６２、メディア書き込み部６３等により構成されている。
【００４１】
画像出力制御部６１は、画像処理部５０に接続され、画像処理部５０から入力された出力画像情報を画像プリント部６２又はメディア書き込み部６３に出力する。
画像プリント部６２は、画像出力制御部６１から入力された出力画像情報に基づいて感光材料に露光し、露光された感光材料を現像処理して乾燥し、写真プリント８１を作成する。メディア書き込み部６３は、記録メディアスロット等を備え、画像出力制御部６１から入力された出力画像情報をＭＯ、ＣＤ−Ｒ、スマートメディアカードを始めとする各種記録メディア８２に書き込む。
【００４２】
なお、図１においては、撮影制御部２１、画像処理部５０は、画像入力部１４を介して接続される独立した構成として説明したが、必ずしも独立したデバイスとして実現される必要はなく、例えば、単一のＣＰＵとＲＯＭ等の記憶手段に記憶されたプログラムとの協働によるソフトウエア処理により実現されるものであってもよい。
【００４３】
次に、第１の実施の形態の動作について説明する。
図４に、撮影画像処理システム１００により実行されるポートレート撮影シーケンスＡを示す。このシーケンスは、指示入力部４０により背景部材２５に表示する背景画像が選択され、撮影が指示された際に実行されるシーケンスである。
【００４４】
まず、指示入力部４０からの撮影指示が撮影制御部２１に入力されると、撮影制御部２１により背景照明器２２２が制御され、背景部材２５に予め選択された背景画像が投影、表示される（ステップＳ１）。この背景画像の表示により、撮影に適した雰囲気が演出される。次いで、撮影制御部２１により、ＤＳＣ２３及び被写体照明器２２１ａ及び２２１ｂの撮影条件がセットされ（ステップＳ２）、撮影操作部２６のレリーズスイッチの押下が待機される（ステップＳ３）。レリーズスイッチが押下されると（ステップＳ３；ＹＥＳ）、撮影制御部２１により、背景照明器２２２が消灯されることにより背景画像の表示が停止され（ステップＳ４）、続いて、ＤＳＣ２３においてシャッターが切られて被写体αが撮影され（ステップＳ５）、撮影後、背景照明器２２２により背景部材２５に再度背景画像が投影、表示される（ステップＳ６）。即ち、撮影時に背景照明器２２２が消灯されることにより、背景画像の表示を停止させて被写体αの撮影が行われる。
【００４５】
撮影により得られた撮影画像情報が、画像入力部１４を介して画像処理部５０に入力されると、前処理部５１により撮影画像情報に対して、以降の信号処理がしやすい画像情報に変換する処理（例えば、輝度信号から光学濃度信号への変換処理）等の前処理が施される（ステップＳ７）。次いで、被写体画像抽出部５２において、前処理の施された撮影画像情報から被写体画像領域の輪郭が検出され、被写体画像情報が抽出される（ステップＳ８）。そして、画像合成部５３において、予め用意されてＲＯＭ等の記憶手段に記憶されている、ステップＳ１で投影された背景画像に対応する背景画像情報が読み出され、抽出された被写体画像情報と読み出された背景画像情報とが合成され（ステップＳ９）、ポートレート撮影シーケンスＡは終了する。
【００４６】
ここで、ＲＯＭ等の記憶手段には、予めステップＳ１で表示可能な背景画像と、この背景画像を表示した際に画像合成時に用いる背景画像情報とが対応付けて記憶されている。例えば、表示可能な背景画像には、それぞれの背景画像を一意的に識別するための識別コードが付されており、この識別コードに対応付けて背景画像に対応する背景画像情報が記憶されている。
【００４７】
背景画像に対応付けられる背景画像情報は、背景画像と近似した画像であるか、又は、背景画像と関連する、背景画像と同様の雰囲気をもつ画像である。例えば、七五三の撮影を行う場合には、背景画像として秋の神社、仏閣を表示して撮影し、被写体画像情報を同様に秋の神社、仏閣の画像と合成すると、撮影を、合成する背景の雰囲気の中で行うことが可能となる。また、同じく七五三の撮影の場合、背景画像に紅葉の画像を表示して撮影を行って、被写体画像情報を秋の神社、仏閣の画像と合成しても、撮影を、合成する背景と同様の、秋の静寂した雰囲気の中で行うことが可能となる。
【００４８】
本処理の終了後、合成された画像情報は、画像出力部６０に出力され、撮影画像処理システム１００において作成されたポートレートが出力される。
【００４９】
なお、図４において説明したポートレート撮影シーケンスＡは、撮影制御部２１のＣＰＵとＲＯＭ等の記憶手段に記憶されたプログラム、及び画像処理部５０のＣＰＵとＲＯＭ等の記憶手段に記憶されたプログラムにより実現されるものであるが、撮影制御部２１と画像処理部５０を単一のＣＰＵとＲＯＭ等の記憶手段に記憶されたプログラムとの協働によるソフトウエア処理により実現して、上記シーケンスを実現してもよい。
【００５０】
以上説明したように、撮影画像処理システム１００によれば、ポートレートの撮影において、撮影制御部２１の制御により、背景照明器２２２から無地の背景部材２５に背景画像が投影、表示され、ＤＳＣ２３、被写体照明器２２１ａ、２２１ｂの撮影条件がセットされ、レリーズスイッチが押下されると、背景照明器２２２が消灯されることにより背景画像の表示が停止され、続いてＤＳＣ２３においてシャッターが切られて被写体αが撮影される。撮影により得られた撮影画像情報は、画像処理部５０に出力され、前処理部５１により信号値変換がなされた後、被写体画像抽出部５２により被写体画像領域の輪郭が検出されることにより被写体画像情報が抽出され、画像合成部５３において、抽出された被写体画像情報と予め用意された背景画像情報とが合成される。
【００５１】
従って、ポートレートの撮影において、まず、背景部材にポートレートに合成する背景と近似又は関連する背景画像を表示させて、被写体を撮影するのに適した雰囲気を演出しつつ、撮影タイミングにおいては背景画像の表示を停止させ、無地バックの背景として撮影するので、被写体から好ましい表情を引き出すことが可能となるとともに、背景が無地の、被写体輪郭抽出のしやすい、従って、画像合成処理がしやすい撮影画像情報を得ることが可能となる。
【００５２】
なお、上記実施の形態における記述内容は、本発明に係る撮影画像処理システム１００の好適な一例であり、これに限定されるものではない。
【００５３】
例えば、上記実施の形態においては、背景部材の前方から背景照明器により背景画像を投影して背景画像の表示を行うこととしたが、背景画像を表示する方法は、これに限定されない。例えば、半透明スクリーンに、スクリーン後方から背景画像を投影して表示することとしてもよい。また、液晶表示器、プラズマ表示器等を用いて背景画像の表示を行うようにしてもよい。
【００５４】
また、背景画像は、被写体の背後だけでなく側面にも表示するようにしてもよい。被写体の側面に背景画像を表示することにより、被写体にとってより撮影に適した雰囲気を演出することが可能となる。側面に背景画像を表示する場合には、背後に表示した背景画像と同様に、撮影時には表示を停止させるようにしてもよいが、後段の被写体領域の抽出には影響を及ぼさないため表示した状態で撮影を行ってもよい。例えば、背景画像が海や空のシーンの場合、側面の画像は消さないほうが、被写体に青色光の写りこみが発生するため効果的な場合もあり、側面の背景画像の表示は、選択的に用いることが好ましい。
【００５５】
また、上記実施の形態においては、撮影画像処理システム１００は、ＦＢスキャナ、フィルムスキャナ等を備える構成としたが、これらの構成は、本発明の実施に必須ではなく、別体としてもよい。
【００５６】
また、上記実施の形態においては、撮影部と画像処理部を備えるシステムを例にとり、そのシーケンスについて説明したが、例えば、図４のステップＳ１〜６を、撮影を行う撮影装置が実施し、得られた画像情報を別体の画像処理装置に入力し、この画像処理装置で図４のステップＳ７以降を実施するようにしてもよい。
【００５７】
さらには、本発明におけるポートレート作成方法、ポートレート作成システム、およびプログラムは、ＤＳＣ２３で撮影した画像のみに用いるだけではなく、たとえば、図１〜図３に記載のＤＳＣ２３に代えて旧来のフィルムカメラ（図示しない）を撮影制御部２１で制御して撮影し、撮影済みフィルムを現像処理して、現像済み写真フィルム７２を得、フィルムスキャナ１２で画像採取して画像入力部１４に画像信号を入力し、撮影制御部から送られてきた、フィルムカメラの撮影コマ情報と、フィルムスキャナ１２からの画像情報とを組み合わせて画像処理部５０に送ることで、前述実施例と同等の結果が得られる。
【００５８】
その他、撮影画像処理システム１００の細部構成及び細部動作に関しても、本発明の趣旨を逸脱することのない範囲で適宜変更可能である。
【００５９】
〔第２の実施の形態〕
次に、本発明の第２の実施の形態について説明する。
まず、構成を説明する。なお、本実施の形態における構成は、第１の実施の形態で説明したのとほぼ同様であるので、相違点のみを下記に説明する。
【００６０】
本実施の形態において、図１の被写体画像抽出部５２は、撮影部２０により背景画像の輝度を変化させて撮影されることにより得られた複数枚（ここでは、２枚とする）の撮影画像情報の対応する画素の信号値を比較し、その比較結果に基づいて、撮影画像情報から被写体画像情報を抽出する。例えば、２枚の撮影画像情報の撮影時の被写体照明器の条件は変化していなので、２枚の撮影画像情報の対応する画素の信号値の差が予め設定された閾値より小さい領域を被写体画像情報として抽出する。
【００６１】
次に、本実施の形態における動作について説明する。
図５に、撮影画像処理システム１００により実行されるポートレート撮影シーケンスＢを示す。このシーケンスは、指示入力部４０により背景部材２５に投影する背景画像が選択され、撮影が指示された際に実行されるシーケンスである。
【００６２】
まず、指示入力部４０からの撮影指示が撮影制御部２１に入力されると、撮影制御部２１により背景照明器２２２が制御され、背景部材２５に予め選択された背景画像が投影、表示される（ステップＳ１１）。この背景画像の表示により、撮影に適した雰囲気が演出される。次いで、撮影制御部２１により、ＤＳＣ２３及び被写体照明器２２１ａ及び２２１ｂの撮影条件がセットされ（ステップＳ１２）、撮影操作部２６のレリーズスイッチの押下が待機される（ステップＳ１３）。レリーズスイッチが押下されると（ステップＳ１３；ＹＥＳ）、撮影制御部２１の制御によりＤＳＣ２３においてシャッターが切られて、第１の撮影が実施される（ステップＳ１４）。第１の撮影後、撮影制御部２１の制御により、背景画像を投影するために背景照明器２２２から照射される光の強度が変更され（ステップＳ１５）、これにより背景画像の輝度が変化した状態でＤＳＣ２３により第２の撮影が実施される（ステップＳ１６）。背景画像を投影するための光の強度はどのように変更してもよいが、ここでは、例えば、第１の撮影をＯＮとし、第２の撮影をＯＦＦとする。
【００６３】
第１及び第２の撮影により得られた撮影画像情報（以下、第１の撮影により得られた撮影画像情報を第１の撮影画像情報、第２の撮影により得られた撮影画像情報を第２の撮影画像情報とする）は、画像入力部１４を介して画像処理部５０に入力され、まず、前処理部５１により各撮影画像情報に対して、以降の信号処理がしやすい画像情報に変換する処理（例えば、輝度信号から光学濃度信号への変換処理）等の前処理が施される（ステップＳ１７）。次いで、被写体画像抽出部５２において、第１の撮影画像情報と第２の撮影画像情報の対応する各画素について、それぞれ信号値の比較が行われ、信号値の差が予め設定された閾値より低い領域が被写体画像情報として抽出される（ステップＳ１８）。そして、画像合成部５３において、予め用意されてＲＯＭ等の記憶手段に記憶されている、ステップＳ１１で投影された背景画像に対応する背景画像情報が読み出され、抽出された被写体画像情報と読み出された背景画像情報とが合成され（ステップＳ１９）、ポートレート撮影シーケンスＢは終了する。
【００６４】
ここで、ＲＯＭ等の記憶手段には、予めステップＳ１１で表示可能な背景画像と、この背景画像を表示した際に画像合成時に用いる背景画像情報とが対応付けて記憶されている。例えば、表示可能な背景画像には、それぞれの背景画像を一意的に識別するための識別コードが付されており、この識別コードに対応付けて背景画像に対応する背景画像情報が記憶されている。
【００６５】
背景画像に対応付けられる背景画像情報は、背景画像と近似した画像であるか、又は、背景画像と関連する、背景画像と同様の雰囲気をもつ画像である。例えば、七五三の撮影を行う場合には、背景画像として秋の神社、仏閣を表示して撮影し、得られた被写体画像情報を同様に秋の神社、仏閣の背景画像情報と合成すると、撮影を、合成する背景の雰囲気の中で行うことが可能となる。また、同じく七五三の撮影の場合、背景画像に紅葉の画像を表示して撮影を行って、得られた被写体画像情報を秋の神社、仏閣の背景画像画像と合成しても、撮影を、合成する背景と同様の、秋の静寂した雰囲気の中で行うことが可能となる。
【００６６】
なお、図５において説明したポートレート撮影シーケンスＢは、撮影制御部２１のＣＰＵとＲＯＭ等の記憶手段に記憶されたプログラム、及び画像処理部５０のＣＰＵとＲＯＭ等の記憶手段に記憶されたプログラムにより実現されるものであるが、撮影制御部２１と画像処理部５０を単一のＣＰＵとＲＯＭ等の記憶手段に記憶されたプログラムとの協働によるソフトウエア処理により実現して、上記シーケンスを実現してもよい。
【００６７】
以上説明したように、撮影画像処理システム１００によれば、ポートレートの撮影において、撮影制御部２１の制御により、背景照明器２２２から無地の背景部材２５に背景画像が投影、表示され、ＤＳＣ２３、被写体照明器２２１ａ、２２１ｂの撮影条件がセットされ、レリーズスイッチが押下されると、ＤＳＣ２３により第１の撮影が行われ、続いて、背景照明器２２２の光の強度が変更され、背景画像の輝度が変化した状態で第２の撮影が行われる。撮影により得られた第１の撮影画像情報及び第２の撮影画像情報は、画像処理部５０において、前処理部５１により信号値変換がなされた後、被写体画像抽出部５２により、第１の撮影画像情報と第２の撮影画像情報の対応する各画素の信号値の比較が行われ、比較結果に基づいて被写体画像情報が抽出され、画像合成部５３において、抽出された被写体画像情報と、これに対応する予め用意された背景画像情報とが合成される。
【００６８】
従って、ポートレートの撮影において、ポートレートの背景に合成する背景画像に応じた好ましい雰囲気を演出して撮影を行うことが可能となるとともに、背景を合成する際に、被写体の色に関係なく、撮影画像情報から被写体画像情報を容易に、正確に抽出することが可能となる。
【００６９】
なお、上記実施の形態における記述内容は、本発明に係る撮影画像処理システム１００の好適な一例であり、これに限定されるものではない。
例えば、上記実施の形態においては、撮影画像処理システム１００は、ＦＢスキャナ、フィルムスキャナ等を備える構成としたが、これらの構成は、本発明の実施に必須ではなく、別体としてもよい。
【００７０】
また、上記実施の形態においては、撮影部と画像処理部を備えるシステムを例にとり、そのシーケンスについて説明したが、例えば、図５のステップＳ１１〜１６を、撮影を行う撮影装置が実施し、得られた撮影画像情報を別体の画像処理装置に入力し、この画像処理装置で図５のステップＳ１７以降を実施するようにしてもよい。
【００７１】
また、上記実施の形態においては、背景照明器の光の強度を変更することにより背景画像の輝度を変化させて第１の撮影及び第２の撮影を行い、第１の撮影で得られた第１の撮影画像情報と第２の撮影で得られた第２の撮影画像情報との信号値の差が所定の閾値より低い領域を被写体画像領域として被写体画像情報を抽出することとしたが、被写体照明器の光の強度を変更して第１の撮影及び第２の撮影を行い、第１の撮影で得られた第１の撮影画像情報と第２の撮影で得られた第２の撮影画像情報との信号値の差が所定の閾値より高い領域を被写体画像領域として被写体画像情報を抽出するようにしてもよい。
【００７２】
また、上記実施の形態においては、背景画像の輝度を変化させた複数の撮影画像情報を得る方法として、背景照明器のＯＮ／ＯＦＦさせて２回の撮影を行う例について説明したが、これに限定されるものではなく、例えば、背景照明器の光源にフリッカの多い光源（例えば、グロー点灯式の一般の蛍光灯）を用い、フリッカの最大付近と最小付近に同期したタイミングで２回の撮影を行うようにしてもよい。
【００７３】
また、上記実施の形態においては、背景部材の前方から背景照明器により背景画像を投影して背景画像の表示を行うこととしたが、背景画像を表示する方法は、これに限定されない。例えば、半透明スクリーンに、スクリーン後方から背景画像を投影して表示することとしてもよい。また、液晶表示器、プラズマ表示器等を用いて背景画像の表示を行うようにしてもよい。
【００７４】
また、背景画像は、被写体の背後だけでなく側面にも表示するようにしてもよい。被写体の側面に背景画像を表示することにより、被写体にとってより撮影に適した雰囲気を演出することが可能となる。側面に背景画像を表示する場合には、背後に表示した背景画像と同様に、第１の撮影と第２の撮影で背景画像の輝度を変化させてもよいが、後段の被写体領域の抽出には影響を及ぼさないため、輝度を変化させずに撮影を行ってもよい。例えば、背景照明器の点灯／消灯により被写体の背後の背景画像の輝度を変化させる場合、背景画像が海や空のシーンの場合には、側面の背景画像は消さないほうが、被写体に青色光の写りこみが発生するため効果的な場合もあり、側面の背景画像の表示は、選択的に用いることが好ましい。
【００７５】
さらには、本発明におけるポートレート作成方法、ポートレート作成システム、およびプログラムは、ＤＳＣ２３で撮影した画像のみに用いるだけではなく、たとえば、図１〜図３に記載のＤＳＣ２３に代えて旧来のフィルムカメラ（図示しない）を撮影制御部２１で制御して撮影し、撮影済みフィルムを現像処理して、現像済み写真フィルム７２を得、フィルムスキャナ１２で画像採取して画像入力部１４に画像信号を入力し、撮影制御部から送られてきた、フィルムカメラの撮影コマ情報と、フィルムスキャナ１２からの画像情報とを組み合わせて画像処理部５０に送ることで、前述実施例と同等の結果が得られる。
【００７６】
その他、撮影画像処理システム１００の細部構成及び細部動作に関しても、本発明の趣旨を逸脱することのない範囲で適宜変更可能である。
【図面の簡単な説明】
【００７７】
【図１】本発明に係る撮影画像処理システム１００の機能的構成を示すブロック図である。
【図２】本発明に係る撮影画像処理システム１００を適用した撮影スタジオにおける撮影セットの外観を示す図である。
【図３】図１の撮影部２０の構成をより詳細に示すブロック図である。
【図４】図１の撮影画像処理システム１００において実行されるポートレート撮影シーケンスＡを示すフローチャートである。
【図５】図１の撮影画像処理システム１００において実行されるポートレート撮影シーケンスＢを示すフローチャートである。
【符号の説明】
【００７８】
１００  撮影画像処理システム
１１  ＦＢスキャナ
１２  フィルムスキャナ
１３  メモリドライバ
１４  画像入力部
２０  撮影部
２１  撮影制御部
２２  照明部
２３  ＤＳＣ
２４  通信回線
２５  背景部材
２６  撮影操作部
３０  画像表示部
４０  指示入力部
５０  画像処理部
５１  前処理部
５２  被写体画像抽出部
５３  画像合成部
６０  画像出力部
６１  画像出力制御部
６２  画像プリント部
６３  メディア書き込み部
【図１】
2005217516.tif 000003
【図２】
2005217516.tif 000004
【図３】
2005217516.tif 000005
【図４】
2005217516.tif 000006
【図５】
2005217516.tif 000007